(57)【要約】  本発明は、例えばＴＶのモニタ外における車両の動きを可視化するためのアンビエント照明装置を提供することにより、ＴＶセットの観測体験を改良する。該車両がモニタの領域の外に出て行った場合、該モニタ外の照明された画素が、該車両が実際にモニタ外に出て行くような可視化を観測者に提供する。モニタに入ってくる車両も、照明された画素により可視化され得る。モニタ外の車両の可視化された動きは、モニタ内の当該オブジェクトの動きから導出されるオブジェクト動きデータに基づいて決定される。制御装置１０３は、ビデオ信号に埋め込まれたオブジェクト１２０を可視化する。発光器１１１に制御可能な発光器コントローラ１０４は、発光器１１１からの発光を制御することにより、該オブジェクトを可視化するための空間的な照明パターンを生成するように構成される。
2010531079.tif 000002
【特許請求の範囲】
【請求項１】
モニタに表示するためのビデオコンテンツを有する画像信号のオブジェクトの可視化を提供するための制御装置であって、前記制御装置は、
発光器に接続可能な発光器コントローラを有し、前記発光器コントローラは、前記画像信号から導出されるオブジェクト動きデータを利用して前記発光器からの発光を制御することにより、前記オブジェクトを可視化するための空間的な照明パターンを生成するように構成された、制御装置。
【請求項２】
前記発光器コントローラは、前記空間的な照明パターンの時間依存性が前記オブジェクトの動きを可視化するように、前記オブジェクト動きデータに応じて、個々の前記発光器からの発光を調節することにより、前記発光器からの発光を制御するように構成された、請求項１に記載の制御装置。
【請求項３】
前記発光器コントローラは、前記画像信号から導出される現在のオブジェクトの位置と現在のオブジェクト動きデータとに依存して、前記発光器からの発光を制御するように構成され、前記現在のオブジェクトの位置は、前記空間的な照明パターンと前記モニタとを有する視界において定義される、請求項１に記載の制御装置。
【請求項４】
前記発光器コントローラは、前記現在のオブジェクトの位置と固定された位置基準との間の時間及び／又は距離に依存して、前記発光器からの発光を制御するように構成された、請求項３に記載の制御装置。
【請求項５】
前記発光器コントローラは、前記画像信号から導出される現在のオブジェクトの位置と将来のオブジェクトの位置とに依存して、前記発光器からの発光を制御するように構成され、前記現在のオブジェクトの位置及び前記将来のオブジェクトの位置は、前記空間的な照明パターンと前記モニタとを有する視界において定義される、請求項１に記載の制御装置。
【請求項６】
前記発光器コントローラは、前記現在のオブジェクトの位置と前記将来のオブジェクトの位置との間の時間及び／又は距離に依存して、前記発光器からの発光を制御するように構成された、請求項５に記載の制御装置。
【請求項７】
前記発光器コントローラは、前記空間的な照明パターンの色及び／又は強度が前記画像信号の前記オブジェクトの色及び／又は強度に類似するように、個々の前記発光器からの発光の色及び／又は強度を調節することにより、前記発光器からの発光を制御するように構成された、請求項１に記載の制御装置。
【請求項８】
モニタに表示するためのビデオコンテンツを有する画像信号のオブジェクトを可視化するように構成されたアンビエント照明装置であって、
請求項１に記載の制御装置と、
発光器を有するアンビエント光源と、
を有する、前記アンビエント照明装置。
【請求項９】
モニタに表示するためのビデオコンテンツを有する画像信号のオブジェクトを可視化するように構成された表示装置であって、
請求項８に記載のアンビエント照明装置と、
前記ビデオコンテンツを表示するためのモニタと、
を有する、表示装置。
【請求項１０】
モニタに表示するためのビデオコンテンツを有する画像信号のオブジェクトを可視化するための方法であって、
前記画像信号から導出されるオブジェクト動きデータを利用して発光器からの発光を制御するための、前記発光器と接続可能な発光器コントローラを利用して、前記オブジェクトを可視化するための空間的な照明パターンを生成するステップ
を有する方法。
【請求項１１】
プロセッサが請求項１０に記載の方法を実行することを可能とするコンピュータプログラム。
【発明の詳細な説明】
【技術分野】
【０００１】
本発明は、モニタ上での表示のためのビデオ信号のオブジェクトの視覚化に関し、特に種々の光源を利用したオブジェクトの動きの視覚化に関する。
【背景技術】
【０００２】
ＬＣＤテレビジョンのようなモニタは、画質及び画像サイズにおける継続的な改良の対象である。しかしながら、より優れた観測体験をユーザに提供するためには、画質及び画像サイズ以外の改良が必要とされる。
【０００３】
例えば、アクション映画を視聴する際には、映画のアクション及びダイナミクスの拡張された体験をユーザに提供することが望ましい。従って、映画におけるダイナミクスの体験を拡張するための特徴を提供するための改良が課題であると考えられる。
【０００４】
欧州特許出願公開EP1,551,178は、画像を観測者に提示するための画像表示領域を含む表示装置と合わせて利用するための、補助的な視覚的表示システムを提供することによる、テレビジョンに対する斯かる改良を開示している。該システムは、画像表示領域の周囲を少なくとも部分的に囲む１つ以上の照明源と、該画像表示領域の１つ以上のサブ領域におけるオーディオ番組のコンテンツ及び／又は強度及び／又は色を監視するための監視部と、画像及び／又はオーディオを示す信号の少なくとも一方に応じて利用時に１つ以上の照明源から発せられる光放射を制御して、該画像表示領域の少なくとも部分的な空間的拡張を提供するための制御部と、を有する。
【発明の概要】
【発明が解決しようとする課題】
【０００５】
欧州特許出願公開EP1,551,178に開示される改良は、ユーザの観測体験を拡張するが、特に映画におけるダイナミックな場面を視聴する観測者の体験を改善することが可能であり得る。
【０００６】
従って、本発明は好適には、単独で又はいずれかの組み合わせで、上述した問題の１つ以上を軽減、緩和又は除去することを目的とする。特に、本発明の目的は、モニタに現われた又は現われるであろうオブジェクトを、該オブジェクトに似た空間的な照明パターンを生成するための発光器からの発光を制御することにより可視化することが可能な制御装置を提供することであると考えられる。
【課題を解決するための手段】
【０００７】
本目的及び幾つかの他の目的は、本発明の第１の態様において、モニタに表示するためのビデオコンテンツを有する画像信号のオブジェクトの可視化を提供するための制御装置であって、前記制御装置は、
発光器に接続可能な発光器コントローラを有し、前記発光器コントローラは、前記画像信号から導出されるオブジェクト動きデータを利用して前記発光器からの発光を制御することにより、前記オブジェクトを可視化するための空間的な照明パターンを生成するように構成された、制御装置を提供することにより得られる。
【０００８】
本発明は特に、限定するものではないが、１つ以上のオブジェクトの動きに類似する空間的な照明パターンを生成するため発光器からの発光を制御することにより、オブジェクトを視覚化するために有利である。
【０００９】
斯くして、本発明の一実施例においては、制御装置は、例えば壁に照明される画素の形で、空間的な照明パターンを生成することが可能である。該空間的な照明パターンは、モニタの領域の外へ移動したばかりの、又はモニタ内へと移動して来ようとするオブジェクトを視覚化し得る。該空間的な照明パターンは、オブジェクトの動きを記述するオブジェクト動きデータに依存して発光器制御器により制御される発光器からの発光により提供され得る。該オブジェクト動きデータは、オブジェクトの動きを記述するものであり、該空間的な照明パターンを決定するために利用される。斯くして、オブジェクト動きデータは、オブジェクトの移動方向、位置、速度及び加速度を記述するデータを有しても良い。代替として又は加えて、オブジェクト動きデータは、種々の時点におけるオブジェクトの位置であっても良く、これにより異なる位置及び異なる位置の時間差が、例えば速度及び移動方向を導出するためのデータを提供する。
【００１０】
オブジェクト動きデータは、制御装置の一部ではない例えば画像プロセッサのような二次装置から供給されても良いし、オブジェクト動きデータが、二次画像信号として画像信号に埋め込まれていても良いし、又は、オブジェクト動きデータが、制御装置により含まれる装置により導出されても良い。
【００１１】
本発明の第１の態様の利点は、空間的な照明パターンが、モニタの観測者に、映画のダイナミックな場面の拡張された体験を提供する点であり得る。例えば、観測者は、モニタに出現した走行車が、モニタの外へ出て行くことを体験し得る。観測者はまた、例えば車のようなオブジェクトが、実際にモニタ上に出現する（例えば該モニタの左端からモニタへと入ってくる）前に、移動する該オブジェクトを可視化する空間的な照明パターンを体験し得る。同様に、観測者は、モニタから出て行く又はモニタに入ってくる複数の移動するオブジェクトを可視化する空間的な照明パターンを体験し得る。
【００１２】
一実施例においては、前記発光器コントローラは、前記空間的な照明パターンの時間依存性が前記オブジェクトの動きを可視化するように、前記オブジェクト動きデータに応じて、個々の前記発光器からの発光を調節することにより、前記発光器からの発光を制御するように構成されても良い。空間的な照明パターンの時間依存性は、オブジェクトの動きに対応するか又はオブジェクトの動きを可視化する。従って、個々の発光器からの発光を調節することにより、時間依存性及び空間的類似の可視化を改善することが可能となり得る。
【００１３】
一実施例においては、前記制御装置の前記発光器コントローラは、前記画像信号から導出される現在のオブジェクトの位置と現在のオブジェクト動きデータとに依存して、前記発光器からの発光を制御するように構成されても良く、前記現在のオブジェクトの位置は、前記空間的な照明パターンと前記モニタとを有する視界において定義される。前記視界とは、モニタと画素１１０の空間的な照明パターンとにより構成される領域又は空間として理解され得る。現在のオブジェクトの位置が、モニタ内で定義されるのみならず、画素の空間的な照明パターンの領域内でも定義されることは利点と考えられ得る。なぜなら、このことは、将来モニタに出現するであろうオブジェクトを可視化する可能性を提供するからである。
【００１４】
一実施例においては、前記制御装置の前記発光器コントローラは、前記現在のオブジェクトの位置と固定された位置基準との間の時間及び／又は距離に依存して、前記発光器からの発光を制御するように構成されても良い。斯くして、現在のオブジェクトの位置（モニタ又は空間的な照明パターン内で定義される）と位置基準との間の時間又は距離が、例えば画素１１０を照明する時点、画素１１０を照明する位置、並びに画素の空間的な照明パターンの方向、速度及び／又は加速度のうちの１つ以上を決定するために利用され得る。
【００１５】
一実施例においては、前記制御装置の前記発光器コントローラは、前記画像信号から導出される現在のオブジェクトの位置と将来のオブジェクトの位置とに依存して、前記発光器からの発光を制御するように構成されても良く、前記現在のオブジェクトの位置及び前記将来のオブジェクトの位置は、前記空間的な照明パターンと前記モニタとを有する視界において定義される。従って、現在の位置及びいずれかの将来の位置を有する２つの位置の知識から、オブジェクトを可視化するために画素がどのように照明されるべきかを決定することが可能となる。斯くして、現在のオブジェクトの位置が空間的な照明パターン内であるかモニタ内であるかにかかわらず、また、将来のオブジェクト位置が空間的な照明パターン内であるかモニタ内であるかにかかわらず、オブジェクトを可視化するために画素がいつ、どこで照明されるべきかを決定することが可能となる。
【００１６】
一実施例においては、前記発光器コントローラは、前記現在のオブジェクトの位置と前記将来のオブジェクトの位置との間の時間及び／又は距離に依存して、前記発光器からの発光を制御するように構成される。斯くして、現在のオブジェクトの位置（モニタ又は空間的な照明パターン内で定義される）と将来のオブジェクトの位置（モニタ又は空間的な照明パターン内で定義される）との間の時間又は距離が、例えば画素を照明する時点、画素を照明する位置、並びに画素の空間的な照明パターンの方向、速度及び／又は加速度のうちの１つ以上を決定するために利用され得る。
【００１７】
一実施例においては、前記発光器コントローラは、前記空間的な照明パターンの色及び／又は強度が前記画像信号の前記オブジェクトの色及び／又は強度に類似するように、個々の前記発光器からの発光の色及び／又は強度を調節することにより、前記発光器からの発光を制御するように構成されても良い。照明される画素の色及び／又は強度をオブジェクトに適合させることは有利となり得る。なぜなら、このことは、改善された可視化を提供し得、それ故観測者の改善された観測体験を提供するからである。
【００１８】
第２の態様においては、本発明は、モニタに表示するためのビデオコンテンツを有する画像信号のオブジェクトを可視化するように構成されたアンビエント照明装置であって、
第１の態様による制御装置と、
発光器を有するアンビエント光源と、
を有する、前記アンビエント照明装置に関する。
【００１９】
観測体験を拡張するため、アンビエント照明装置が既存のＴＶセットと共に利用され得ることは、有利となり得る。
【００２０】
第３の態様においては、本発明は、モニタに表示するためのビデオコンテンツを有する画像信号のオブジェクトを可視化するように構成された表示装置であって、
第２の態様によるアンビエント照明装置と、
前記ビデオコンテンツを表示するためのモニタと、
を有する、表示装置に関する。
【００２１】
例えばＴＶのようなモニタが、画像信号からオブジェクト動きデータを供給するように構成された信号プロセッサを有することは、有利となり得る。
【００２２】
第４の態様においては、本発明は、モニタに表示するためのビデオコンテンツを有する画像信号のオブジェクトを可視化するための方法であって、
前記画像信号から導出されるオブジェクト動きデータを利用して発光器からの発光を制御するための、前記発光器と接続可能な発光器コントローラを利用して、前記オブジェクトを可視化するための空間的な照明パターンを生成するステップ
を有する方法に関する。
【００２３】
第５の態様においては、本発明は、プロセッサが第４の態様の方法を実行することを可能とするコンピュータプログラムに関する。
【００２４】
本発明の第１、第２、第３、第４及び第５の態様は、それぞれ他の態様のいずれかと組み合わせられても良い。本発明のこれら及び他の態様は、以下に説明される実施例を参照しながら説明され明らかとなるであろう。
【図面の簡単な説明】
【００２５】
【図１】モニタ１０１、アンビエント光源１０２及び制御装置１０３を有する表示装置１００を示す。
【図２】図２ａは、オブジェクトの連続的な動きが画素２０１乃至２０３により可視化された、モニタ１０１の境界に向かってモニタ１０１内の初期位置から移動するオブジェクト１２０のシーケンスを示し、図２ｂは、連続的な動きがモニタ上に示された、モニタ１０１の境界に向かってモニタ１０１外の初期位置から移動する可視化されたオブジェクト１２０のシーケンスを示す。
【図３（ａ）】オブジェクトの動きを可視化するために画素１１０がどのように制御されるべきかを決定するために、現在位置（ｘｐ）及び将来位置（ｘｆ）がどのように利用されるかを示す。
【図３（ｂ）】オブジェクトの動きを可視化するために画素１１０がどのように制御されるべきかを決定するために、現在位置（ｘｐ）及び将来位置（ｘｆ）がどのように利用されるかを示す。
【発明を実施するための形態】
【００２６】
本発明は、添付図面を参照しながら、単に例として、以下に説明される。
【００２７】
図１は、モニタ１０１、アンビエント光源１０２及び制御装置１０３を有する表示装置１００を示す。
【００２８】
モニタ１０１は、画像を表示するための、いずれかのモニタＬＣＤ、ＯＬＥＤ、ＣＲＴ若しくはその他のモニタ又は投射装置であっても良い。アンビエント光源１０２は、人間の目に可視である光の放射を発することが可能な発光器１１１を有する。該発光器は、発光ダイオード、レーザ、白熱灯又は他の発光素子であっても良い。アンビエント光源１０２はまた、ＬＣＤ、ＯＬＥＤ又はプラズマモニタに含まれても良い。
【００２９】
アンビエント光源１０２の機能は、モニタ１０１を見ている観測者にとって可視な画素１１０を形成することである。画素１１０は、発光器１１１から発せられた光を壁へと投射することにより、モニタ１０１の背後にある又はモニタ１０１と平行な壁に形成又は描画される。図１に示されるように、発光器１１１と画素１１０との間には１対１の対応関係があるが、各画素１１０は複数の発光器から投射された光から形成されても良い。代替の実施例においては、画素は、例えば走査ミラーを用いて、画素１１０の領域に亘って、例えばレーザビームのような光ビームを走査することにより形成される。照明されたとき、画素１１０はモノクロであっても良いし、又はカラーであっても良い。カラーの画素１１０は、例えば赤色、緑色及び青色の光源から発せられた光を混合することによって、色を混合することにより形成されても良い。例えば、各発光器が、赤色、緑色及び青色発光ダイオード（ＬＥＤ）を有しても良い。
【００３０】
画素１１０はまた、観測者に向けて光を発するＬＣＤ、ＯＬＥＤ若しくはプラズマモニタにより形成されても良いし、又は画素１１０は、画面に若しくは観測者に向けて直接に光を発することにより他の光源によって形成されても良い。
【００３１】
従って、発光器は、発光ダイオード、レーザ、走査装置と組み合わせられたレーザ、ＬＣＤモニタ、ＯＬＥＤモニタ、及びプラズマモニタを含む、画素１１０を形成することが可能ないずれの種類の発光素子を有しても良いことは、理解されるべきである。
【００３２】
アンビエント光源１０２は、モニタ１０１又はＴＶセットと一体化されても良く、従って、図１に模式的に示されるように可視でなくとも良い。例えば、アンビエント照明装置は、反対側の壁への光の投射のために、ＴＶセットの背面に装着されても良い。
【００３３】
発光器１１１は、モニタ１０１の１つ以上の側に隣接して配置された発光器１１１のマトリクスを形成しても良い。しかしながら、発光器１１１は、例えば投射される光が画素１１０を形成するように壁に光を投射するための種々のレンズ光学部品を利用して、画素１１０を形成することが可能な任意の態様で配置されても良い。ミラーから反射される光が画素１１０を形成するように１つ以上の走査ミラーに光を放射する、例えばレーザのような１つ以上の発光源の使用もまた、実現可能な方法である。発光器１１１の数又は画素１１０の数は、モニタ１０１から出て行く又はモニタ１０１へと入ってくるオブジェクト１２０を観測者が体験するに十分な、いずれの数であっても良い。従って、発光器１１１の数又は画素１１０の数は、説得力のある観測体験を観測者に提供するための画素の解像度及び画素分布の面積を確立するに十分な、いずれの数であっても良い。例えば、画素の数は例えば発光ダイオードにより生成される１０と１００との間であっても良いし又は２０００もの数であっても良い。しかしながら、走査ミラーと組み合わせてレーザを利用することは、画素の数を、数千から数百万画素へと増大させる。画素１１０はまた、ＬＣＤモニタ又はその他のモニタ１０１のために利用される技術により生成されても良く、その場合には、画素１１０の数は、数千から数百万画素まで増大する。
【００３４】
図１に示されたような画素１１０は、長方形又は正方形の形状以外の形状を持っても良く、即ち画素の形状は円形、楕円形又は多角形であっても良い。更に、異なる画素は異なるサイズを持っても良く、例えばモニタに近い画素はモニタから遠い画素よりも小さくても良い。同様に、画素１１０は、図１に示されるように均一に分布していなくとも良い。従って、画素１１０はいずれの形状及び分布をも持ち得るため、照明される画素１１０のパターンは一般に空間的な照明パターンと呼ばれる。
【００３５】
モニタ１０１は、ＤＶＤプレイヤ、インターネット、衛星受信器又はその他の画像信号源からの画像信号を表示することが可能である。該画像信号は、ことによると車両のようなオブジェクト１２０を有するビデオコンテンツを有する。
【００３６】
発光器コントローラ１０４を有する制御装置１０３は、個々の発光器１１１からの発光を制御し、それにより画素１１０の時間依存の空間的な照明パターンを制御することが可能である。即ち、個々の発光器１１１をスイッチオン又はオフし、個々の発光器１１１から発せられる光の強度を調節し、及び／又は個々の発光器１１１から発せられる光の色を調節することにより、各画素１１０の対応する光強度及び色、それ故更に画素１１０の時間依存の空間的な照明パターンが、制御装置１０３により制御可能である。制御装置１０３は、発光器コントローラ１０４と１つ以上のアンビエント光源１０２との間の電気接続１０５を介して、発光器１１１を制御する。
【００３７】
画素１１０の空間的な照明パターン（又は空間的な照明パターン１１０と呼んでも等価である）への参照が為されるとき、該パターンは画素１１０が照明され得る領域、空間又は視界と理解されるべきである。即ち、照明されていないために画素１１０が可視ではない場合であっても、画素１１０が依然として空間的な照明パターン１１０とみなされる。
【００３８】
モニタ１０１を観測する観測者の体験を拡張するため、制御装置１０３は、各画素１１０のタイミング、光強度及び色を制御することが可能であり、本例においてはこれにより、車両１２０がモニタ１０１の境界から外へと出て行こうとするときに、発光器１１１がモニタ１０１から出て行こうとする車両１２０の可視化を提供するように制御される。
【００３９】
図２ａは、ステップＡ乃至Ｃの間にモニタ１０１の境界に向かってモニタ１０１内の初期位置から移動している車両１２０のシーケンスＡ乃至Ｆを示す。ステップＤにおいて車両１２０が画面の外に出ると、隣接する画素２０１が照明されて可視の画素２１０を形成し、次いでステップＥにおいて次の画素２０２が照明され、最後にステップＦにおいて画素２０３が照明される。従って、照明される画素２０１乃至２０３のシーケンスが、モニタ１０１の境界を越えて移動する車両１２０の可視化を観測者に提供する。斯くして、可視の画素２１０のそれぞれが、画像信号のオブジェクト１２０に対応する。
【００４０】
図２ｂは、ステップＡ乃至Ｃの間にモニタ１０１の境界に向かってモニタ１０１外の初期位置から移動している車両１２０のシーケンスＡ乃至Ｆを示す。ステップＡ乃至Ｃの間の該車両の動きは、照明される画素２１１のシーケンスを形成するように画素２０４乃至２０６を照明することにより可視化される。ステップＤ乃至Ｆにおいては、車両１２０の動きは、モニタ１０１の領域内で継続する。従って、該オブジェクトが該モニタ内で可視となる前に照明される画素２０４乃至２０６のシーケンスが、該車両がモニタ１０１において可視となる前であっても、車両１２０の可視化を観測者に提供する。
【００４１】
斯くして、オブジェクト１２０の現在位置は、図２ａにおける状況Ａにおいて示されるようにモニタ１０１内のオブジェクト１２０の位置であっても良いし、又は、オブジェクト１２０の現在位置は、図２ｂにおける状況Ａにおける画素２０４の照明２１１により可視化されたオブジェクト１２０の位置であっても良い。従って、オブジェクト位置は、画素１１０の空間的な照明パターン及びモニタ１０１を有する観測者の視界において定義される。
【００４２】
制御装置１０３は、画素１１０により形成されるオブジェクト１２０の動きが、モニタ１０１内の該オブジェクトの過去又は将来の動きに類似するものとなるように、発光器１１１からの発光により生成される時間依存の空間的な照明パターンを制御するように構成される。オブジェクトの動きは、オブジェクトの動きの方向、オブジェクトの速度、及びオブジェクトの加速度を有する。
【００４３】
画素１１０により形成されるオブジェクト１２０の動きを制御するため、制御装置１０３は、オブジェクト１２０の種々のオブジェクト動きデータを知っている必要がある。該オブジェクト動きデータは、モニタ１０１に供給される画像信号から導出されても良い。この目的のため、画像信号に含まれるオブジェクトを識別し、例えば方向、速度及び加速度のような該オブジェクトの動きパラメータを導出するために、画像処理装置が利用されても良い。
【００４４】
斯くして、オブジェクト動きデータは、現在及び将来のオブジェクト位置を含むオブジェクト位置、オブジェクトの動きの方向、オブジェクトの速度及び加速度のうちの１つ以上のデータを有しても良い。画像信号は１つ以上のオブジェクトを有し得るため、オブジェクト動きデータはそれに応じてこれら１つ以上のオブジェクトを表す。
【００４５】
画像処理装置がモニタ１０１に実装されても良い。一例として、ディジタルモニタが、オブジェクト１２０を識別してオブジェクト１２０の動きを推定するために実装された画像処理装置を持つ。該画像処理装置は例えば、モニタに表示されるべき画像を８×８画素を有する画素ブロックへと分割し、各ブロックの色特性及び動き特性を決定するために各画素ブロックを解析しても良い。該画像処理装置はまた、例えば類似する動き特性を持つ画素ブロックに含まれるオブジェクトを決定しても良い。
【００４６】
従って、画像処理装置により導出されたオブジェクト動きデータは、電気的、光学的及び無線接続１０６を有する接続１０６を介して発光器コントローラ１０４に供給されても良い。代替として、制御装置１０３が、オブジェクト動きデータを発光器コントローラ１０４に供給するための画像処理装置を備えても良い。
【００４７】
オブジェクト動きデータはまた、発光器コントローラ１０４が、照明される画素１１０のサイズがオブジェクト１２０のサイズと類似するように、照明されるべき画素１１０の数を決定することが可能となるように、オブジェクトのサイズを有しても良い。
【００４８】
図３ａは、現在時間ｔｐにおいてモニタ１０１内にあるオブジェクト１２０の現在位置ｘｐを示す。オブジェクト１２０の現在のオブジェクト動きデータは、矢印３０１により示される。オブジェクト位置、方向、速度、加速度及びサイズのうち１つ以上の値を有する現在のオブジェクト動きデータ３０１を利用して、該オブジェクトがいつ及び／又はどこでモニタの端３０２を通過するか、及びいつ及び／又はどこで画素１１０を含む空間的な照明パターンの空間に入るかを、算出又は推定することが可能である。該オブジェクトがいつ端３０２を通過するかを記述する将来の時間ｔｆ１、及び該オブジェクトが端３０２を通過する位置を記述する将来の位置ｘｆ１は、画素１１０の時間依存の空間的な照明パターンを制御するため、発光器コントローラ１０４により利用されても良い。即ち、将来の時間ｔｆ１及び将来の位置ｘｆ１が既知である場合には、オブジェクト１２０を可視化するため、位置ｘｆ１を持つ画素１１０が時間ｔｆ１において照明され得る。同様に、発光器コントローラ１０４が少なくとも現在の時間ｔｐにおけるオブジェクト１２０のオブジェクト動きデータ３０１を知っているため、いずれの将来の時間ｔｆにおけるオブジェクト１２０の位置ｘｆもが予測され得る。オブジェクト１２０の将来の動き経路の知識を用いて、発光器コントローラは、オブジェクト１２０の動きを可視化するために、特定の将来の時間ｔｆにおいて位置ｘｆにおけるどの画素１１０が照明されるべきかを知ることができる。
【００４９】
例えば、発光器コントローラ１０４は、位置ｘｆ１における画素１１０を照明した後に、位置ｘｆ２における他の画素１１０が時間ｔｆ２において照明され、次いで位置ｘｆ３における画素が時間ｔｆ３において照明されるべきであることを決定することができる。同時に、後続する画素（例えば位置ｘｆ２におけるもの）の照明が開始されると、以前の画素（例えば位置ｘｆ１におけるもの）の照明が中止されるか、徐々に減少されるか、又は一定の若しくは可変の時間の間維持される。同様に、後続する画素（例えば位置ｘｆ２におけるもの）の照明の強度が、ゼロから最大強度まで即時に変更されても良いし、又は該強度が幾分かの時間の間に亘って徐々に増大させられても良い。
【００５０】
一般に、オブジェクト１２０がいつモニタ１０１を出て行くかを決定するために端３０２を利用する代わりに、いずれの位置的な参照線又は点が、発光器コントローラ１０４により利用されても良い。例えば、オブジェクト１２０がモニタからいつ出たと定義されるかを決定するために、モニタの内側又は外側の、端３０２から或る距離をおいて位置する位置基準が利用されても良い。加えて、発光器からの発光を制御するために、現在のオブジェクト位置ｘｐと固定された位置基準との間の時間及び／又は距離が、発光器コントローラにより利用されても良い。明らかに、端３０２が位置基準線とみなされても良い。
【００５１】
図３ｂは、現在の時間ｔｐ１における、画素１１０の範囲内のオブジェクト１２０の現在位置ｘｐ１を示す。オブジェクト１２０の現在のオブジェクト動きデータは、矢印３０３により示される。オブジェクト位置、方向、速度及び加速度のうち１つ以上の値を有する現在のオブジェクト動きデータ３０３を利用して、位置ｘｆ１における後続する画素１１０が照明されるべき時間ｔｆ１、又は該オブジェクトが位置ｘｆ３において端３０２を通過しモニタに入ってくる時間ｔｆ３を、算出又は推定することが可能である。
【００５２】
モニタ内に未だ現われていないが画素１１０の空間的な照明パターンの範囲内に存在するオブジェクト１２０の動きは、時間的に逆向きにオブジェクトの動きを算出することにより画素１１０内に存在するオブジェクトが決定され得るように、画像信号を遅延させることにより決定及び可視化されることができる。
【００５３】
図３ａに関連して説明された状況は、図３ｂに関連して説明された状況に類似している。なぜなら、差は単に、現在の位置ｘｐの位置だけであるからである。即ち、図３ａにおいては現在の位置ｘｐはモニタ３０１内にあり、図３ｂにおいては現在の位置は発光器１１０の視界内にある。従って、図３ｂに示されたような画素１１０の範囲内にオブジェクト１２０が最初に現われる状況において画素１１０をオン及びオフにするため発光器１１１を制御するための方法の例は、モニタ１０１内にオブジェクト１２０が最初に現われる図３ａに関連して説明された例に従う。
【００５４】
図３ｂにおけるオブジェクト１２０がモニタに向かって動く状況においても、図３ａにおけるオブジェクト１２０がモニタから出て行く状況においても、発光器コントローラ１０４は、現在のオブジェクト位置ｘｐが空間的な照明パターンの範囲内であっても、モニタ１０１内であっても、現在のオブジェクト位置ｘｐ及び現在の動きデータ３０１、３０３に依存して、発光器１１１からの発光を制御するように構成される。オブジェクト動きデータ３０１、３０３は、モニタ１０１に実装された又は制御装置１０３に実装された既存の画像処理装置により画像信号から導出されても良いし、代替としては、該オブジェクト動きデータは、画像信号に埋め込まれ、制御装置１０１に直接供給されても良い。
【００５５】
代替としては、図３ｂにおけるオブジェクト１２０がモニタに向かって動く状況においても、図３ａにおけるオブジェクト１２０がモニタから出て行く状況においても、発光器コントローラ１０４は、現在のオブジェクト位置ｘｐ及び将来のオブジェクト位置ｘｆに依存して、発光器１１１からの発光を制御するように構成される。将来のオブジェクト位置ｘｆは、モニタ内又は画素１１０の範囲内の後続する位置であっても良い。発光器コントローラ１０４が将来のオブジェクト位置ｘｆ及び時間ｔｆについての情報を供給される場合には、例えば現在の位置及び時間（ｘｐ、ｔｐ）と将来の位置及び時間（ｘｆ、ｔｆ）とを利用した補間により、位置ｘｆ１における画素１１０がいつ照明されるべきかを記述する将来の時間ｔｆ１が決定され得る。
【００５６】
現在及び将来のオブジェクト位置を供給されると、発光器コントローラ１０４は、現在のオブジェクト位置と将来のオブジェクト位置との間の時間及び距離を決定し、当該情報を種々の位置ｘｆにおいて第１の画素及び後続する画素１１０を照明するための時間ｔｆを算出するために利用することができる。
【００５７】
明らかに、位置ｘｆにおいて種々の画素１０を照明するための時間ｔｆを決定するための、代替の方法がある。しかしながら、一般的な概念は、画素１１０の範囲内の時間依存の空間的な照明パターンが、モニタ１０１の領域内の将来又は過去のオブジェクトの動きを可視化するように、オブジェクト動きデータに応じて個々の発光器からの発光の強度を調節する又は切り換えることにより、発光器１１１からの発光を制御することである。
【００５８】
発光器コントローラは、端３０２から距離Ｄ内のオブジェクト１２０のみを考慮するように構成されても良い。斯くして、端３０２と境界領域３１０との間の領域内に位置するオブジェクトのみが、該オブジェクトが端３０２を通過する場合に該オブジェクトを可視化するために発光器コントローラ１０４によって解析される。
【００５９】
オブジェクト１２０の可視化を更に改良するため、発光器コントローラ１０４は、照明される画素１１０の時間依存の空間的な照明パターンの色及び／又は強度が、モニタにおいて見えるような画像信号のオブジェクトの色及び／又は強度に類似するように、個々の発光器からの発光の色及び／又は強度を調節することにより、発光器からの発光の色及び／又は強度を制御するように構成されても良い。
【００６０】
制御装置１０３は、発光器コントローラ１０４を含む１つ以上の他の装置を有する電子装置であっても良い。該発光器コントローラは、発光器１１１を用いてオブジェクト１２０の可視化を制御するように構成された電子回路基板、コンピュータ、集積回路又はチップデバイスであっても良い。該可視化を制御するための方法は、電子部品を用いたハードウェアとして発光器コントローラ１０４において実装されても良いし、又は該方法は、ソフトウェア若しくはファームウェアとして実装されても良い。
【００６１】
斯くして、モニタ１０１への表示のためのビデオコンテンツを有する画像信号のオブジェクト１２０の可視化を可能とするためにコンピュータプログラムが提供されても良く、ここでは該方法は、該画像信号から導出されるオブジェクト動きデータ３０１、３０３を用いて発光器からの発光を制御するための、発光器１１１と接続可能な発光器コントローラ１０４を利用して、オブジェクトを可視化するための空間的な照明パターンを生成するステップを有する。
【００６２】
制御装置１０３は、アンビエント光源１０２と一体化されても良いし、又は、制御装置１０３は、電線、光ファイバ又は無線技術を用いてアンビエント光源１０２に接続可能とされても良い。制御装置１０３及びアンビエント光源１０２を含む製品が、任意のタイプ及びブランドのモニタ１０１を用いた利用のための単一のアンビエント照明装置として市販され販売されても良い。代替として、制御装置１０３及びアンビエント光源１０２は、任意のタイプ及びブランドのモニタ１０１、アンビエント光源１０２及び制御装置１０３を用いた利用のための別個の製品として市販され販売されても良い。
【００６３】
制御装置１０３及びアンビエント光源１０２は、モニタ１０１と一体化されても良いし、又は電線、光ファイバ又は無線技術を用いてモニタ１０１に接続可能とされても良い。制御装置１０３、アンビエント光源１０２及びモニタ１０１含む製品が、ディスプレイ装置、テレビジョン、プロジェクタ又は同様の装置として市販され販売されても良い。
【００６４】
本発明は特定の実施例と関連して説明されたが、本発明はここで開示された特定の形態に限定されることを意図したものではない。本発明の範囲は、添付する請求項によってのみ限定される。請求項において、「有する（comprise）」なる語は、他の要素又はステップの存在を除外するものではない。加えて、個々の特徴が異なる請求項に含められ得るが、これら特徴は有利に組み合わせられても良く、異なる請求項に含められていることは、これら特徴の組み合わせが利用可能ではない及び／又は有利ではないことを意味するものではない。加えて、単数形の参照は複数を除外するものではない。従って、「１つの（a、an）」、「第１の（first）」及び「第２の（second）」等への参照は、複数を除外するものではない。請求項における参照記号は、請求の範囲を限定するものとして解釈されるべきではない。
【図１】
2010531079.tif 000003
【図２ａ−２ｂ】
2010531079.tif 000004
【図３ａ】
2010531079.tif 000005
【図３ｂ】
2010531079.tif 000006
【国際調査報告】
2010531079.tif 000007
2010531079.tif 000008
2010531079.tif 000009